(57)【要約】【課題】空気中の水分を直接吸着し、除湿効果が上げられ、エネルギーが節約できる空調装置を提供する。【解決手段】吸気部（１）と、排気導引部（２）と、吸湿ホイール（３）と、除湿加熱部（４）と、内循環加熱部（５）とを含む空調装置（１００）であって、排気導引部（２）が流路切替部材（２１）と、空調環境の外部に連通する外排流路（２２）と、空調環境に連通する内排流路（２３）とを含み、空調装置（１００）は流路切替部材（２１）が外排流路（２２）に空調気流を導引する際に外へ排気する処理を行い、流路切替部材（２１）が内排流路（２３）に空調気流を導引する際に除湿処理や内循環送風処理や暖房処理を行うことで各空調の必要を満たす。且つ、除湿処理を行う際に吸湿ホイール（３）および除湿加熱部（４）によって内排流路（２３）の空調気流の水分を除去し、空調環境の湿度を直接下げることで除湿処理の効率を上げる。【選択図】図２
2018028426.tif 000002
【特許請求の範囲】
【請求項１】
空調装置の外部に空調環境を空気調節処理を実施し、前記空調装置の内部に内部空調空間を備える空調装置であって、
前記空調環境に連通する吸気口と、前記吸気口を通じて前記空調環境から空調気流を前記内部空調空間に吸い込む吸気ファンと、を含む吸気部と、
流路切替部材と、前記空調環境の外部に連通する外排流路と、前記空調環境に連通する内排流路と、を含み、前記流路変更部材が前記内部空調空間と前記外排流路の間および前記内部空調空間と内排流路の間に配置配置され、前記流路変更部材が制御されて前記内排流路および／または前記外排流路に前記内部空調空間の前記空調気流を導引することによって前記空調空間および／または前記空調空間の外部へ前記空調気流を導引する排気導引部と、
前記内排流路に配置され、操作を開始する際に前記内部空調空間を通過して前記内排流路に導引される空調気流の水分を吸着する吸湿ホイールと、
前記吸湿ホイールと熱的接続して操作を開始する際に前記吸湿ホイールが吸着される水分を加熱して蒸発する除湿加熱部と、
前記内排流路に熱的接続して操作を開始する際に前記内排流路に導引される空調気流を加温する内循環加熱部と、
を含み、
前記空調装置が外へ排気する処理を行う際に、前記外排流路に前記内部空調空間の前記空調気流を導引するように前記排気導引部を制御することによって、前記空調環境の前記空調気流を前記外排流路を通過して前記空調環境の外部に直接排出し、
前記空調装置が除湿処理を行う際に、前記内排流路に前記内部空調空間の前記空調気流を導引するように前記排気導引部を制御し、前記吸湿ホイールと前記除湿加熱部を作動することによって、前記空調環境の前記空調気流を前記内排流路で除湿した後に前記空調環境へ返却し、
前記空調装置が内循環送風処理を行う際に、前記内排流路に前記内部空調空間の前記空調気流を導引するように前記排気導引部を制御し、前記内循環加熱部を作動しないことによって、前記空調環境の前記空調気流を前記内排流路で加温しないで前記空調環境へ返却し、
前記空調装置が暖房処理を行う際に、前記内排流路に前記内部空調空間の前記空調気流を導引するように前記排気導引部を制御し、前記内循環加熱部を作動することによって、前記空調環境の前記空調気流を前記内排流路で加温して前記空調環境へ返却することを特徴とする空調装置。
【請求項２】
前記吸気ファンが遠心送風機であり、前記吸気部が前記遠心送風機の回転軸の両側に二つの前記吸気口を有することを特徴とする請求項１に記載の空調装置。
【請求項３】
前記排気導引部が三つの位置の間で切り替わるように配置され、前記三つの位置が、前記内部空調空間の前記空調気流を前記外排流路に導引する位置と、前記内部空調空間の前記空調気流を前記内排流路に導引する位置と、前記内部空調空間の前記空調気流を同時に前記外排流路と前記内排流路に導引する位置と、を含み、
前記空調装置が乾燥処理を行う際に、同時に前記外排流路と前記内排流路に前記内部空調空間の前記空調気流を導引するように前記排気導引部を制御し、前記内循環加熱部を作動することによって、前記空調環境の前記空調気流の一部を加温して前記空調環境へ返却し、且つ前記空調気流の一部を前記空調環境の外部へ直接排出することを特徴とする請求項１に記載の空調装置。
【請求項４】
前記流路変更部材が円心を中心として回転する回転円盤を有し、前記回転円盤が連通穴と遮蔽部とを有し、前記連通穴と前記遮蔽部がそれぞれ前記回転円盤の異なる回転角度の位置に配置され、前記回転円盤の回転によって前記連通穴と前記遮蔽部の位置を同時に変更し、前記内部空調空間と外排流路が前記連通穴によって連通し、或は前記遮蔽部によって閉鎖することで前記空調気流を前記外排流路に導引したり導引しないようにしたりすることを特徴とする請求項１に記載の空調装置。
【請求項５】
前記除湿加熱部が前記吸湿ホイールの一方に貼り付けられる除湿加熱器と、前記吸湿ホイールの他方に位置する排湿穴とを有し、前記除湿加熱器と前記排湿穴とが向かい合って位置することによって、前記除湿加熱器で加熱して蒸発された水蒸気を前記吸湿ホイールを経て前記排湿穴に流し、
前記排湿穴が前記回転円盤に対応して前記回転円盤で前記空調空間の外部と連通したり連通しないようにしたりし、前記回転円盤の回転によって前記連通穴と前記遮蔽部の位置を同時に変更し、前記排湿穴が前記連通穴を通過して前記空調空間の外部と連通したり前記遮蔽部によって閉鎖したりすることを特徴とする請求項４に記載の空調装置。
【請求項６】
前記除湿加熱部が前記吸湿ホイールの一方に貼り付けられる除湿加熱器と前記吸湿ホイールの他方に位置する排湿穴とを有し、前記排湿穴が前記空調空間の外部と連通し、前記除湿加熱器と前記排湿穴とが向かい合って位置することによって、前記除湿加熱器で加熱して蒸発された水蒸気を前記吸湿ホイールと前記排湿穴とを通過して前記空調空間の外部へ排出することを特徴とする請求項１に記載の空調装置。
【請求項７】
一端が前記外排流路の出口と前記排湿穴に連通し、他端が前記空調環境の外部に連通する導引排出ケースをさらに含むことを特徴とする請求項６に記載の空調装置。
【請求項８】
前記流路変更部材が円心を中心として回転する回転円盤を有し、前記回転円盤が連通穴と遮蔽部とを有し、前記連通穴と前記遮蔽部がそれぞれ前記回転円盤の異なる回転角度の位置に設置され、前記回転円盤の回転によって前記連通穴と前記遮蔽部の位置を同時に変更し、前記内部空調空間に外排流路が前記連通穴によって連通或は前記遮蔽部によって閉鎖することで前記空調気流を前記外排流路に導引したり導引しなかったりすることを特徴とする請求項６に記載の空調装置。
【請求項９】
前記排気導引部が前記回転円盤と同一の円心で配置される弧形状制限溝を有し、前記回転円盤が弧形状制限溝に向かう表面に制限凸が配置され、前記回転円盤の回転角度の範囲を制限するように前記制限凸が前記制限溝に摺動することを特徴とする請求項４または請求項８に記載の空調装置。
【請求項１０】
前記外排流路の出口が制限壁を有し、前記回転円盤が前記外排流路の出口に向かう表面に制限凸が配置され、前記制限凸が前記除湿処理において前記回転円盤の回転角度の範囲を制限するように前記制限壁と密着することを特徴とする請求項４または請求項８に記載の空調装置。
【発明の詳細な説明】
【技術分野】
【０００１】
本発明は空調装置に関し、特に、水分を直接吸着する空調装置に関する。
【背景技術】
【０００２】
室外の騒音と埃を隔離し、および個人のプライバシーを保護するために、現代化の建物に密閉式のデザインが採用されている。それ故、室内環境のにおいおよび水分を排出することが難しい。研究により、人体にとって最適な相対湿度は４０〜６０％である。環境の相対湿度がこの範囲より高い、あるいは低い時に、カビ、ダニや細菌などが増殖してにおいが生じ、目、皮膚や呼吸器などのアレルギー反応を起こす。それ故、においおよび高すぎる環境の相対湿度を同時に解決するため、においと水分が生じやすい浴室に換気と乾燥機能を有する空調装置を配置することが一般的な方法である。
【０００３】
従来の空調装置は湿度を下げる方法が空気を加温して空気中の水分を蒸発させて水蒸気にし、水分子の運動速度を上げて空気中の水分が扉、窓等の隙間を通過して室内の環境から排出することを加速させ、室内の環境の相対湿度を下げるというものである。しかしながら、従来の空調装置は湿度を下げる過程において、僅かな水蒸気が隙間を通過して室内環境から排出し、殆どの水分が加温して蒸発した後に低温（例えば壁）の物体に接触すると凝結し、蒸発と凝結を繰り返すようになっている。それ故、従来の空調装置の除湿効果が望めず、高エネルギーが消耗するという問題もある。
【発明の概要】
【発明が解決しようとする課題】
【０００４】
このため、本発明の目的は空気中の水分を直接吸着し、除湿効果が上げられ、エネルギーが節約できる空調装置を提供する。
【課題を解決するための手段】
【０００５】
本発明は従来のような問題に鑑みてなされたもので、空調装置の外部で空調環境が空気調節処理を実施し、前記空調装置の内部に内部空調空間を備える空調装置であって、前記空調環境に連通する吸気口と、前記吸気口を通じて前記空調環境から空調気流を前記内部空調空間に吸い込む吸気ファンとを含む吸気部と、流路切替部材と、前記空調環境の外部に連通する外排流路と、前記空調環境に連通する内排流路とを含み、前記流路変更部材が前記内部空調空間と前記外排流路の間および前記内部空調空間と内排流路の間に配置され、前記流路変更部材が制御されて前記内排流路および／または前記外排流路に前記内部空調空間の前記空調気流を導引することによって前記空調空間および／または前記空調空間の外部へ前記空調気流を導引する排気導引部と、前記内排流路に配置され、操作を開始する際に前記内部空調空間を通過して前記内排流路に導引される空調気流の水分を吸着する吸湿ホイールと、前記吸湿ホイールと熱的接続して操作を開始する際に前記吸湿ホイールが吸着される水分を加熱して蒸発する除湿加熱部と、前記内排流路に熱的接続して操作を開始する際に前記内排流路に導引される空調気流を加温する内循環加熱部とを含み、前記空調装置が外へ排気する処理を行う際に、前記外排流路に前記内部空調空間の前記空調気流を導引するように前記排気導引部を制御することによって、前記空調環境の前記空調気流を前記外排流路を通過して前記空調環境の外部に直接排出し、前記空調装置が除湿処理を行う際に、前記内排流路に前記内部空調空間の前記空調気流を導引するように前記排気導引部を制御し、前記吸湿ホイールと前記除湿加熱部を作動することによって、前記空調環境の前記空調気流を前記内排流路で除湿した後に前記空調環境へ返却し、前記空調装置が内循環送風処理を行う際に、前記内排流路に前記内部空調空間の前記空調気流を導引するように前記排気導引部を制御し、前記内循環加熱部を作動しないことによって、前記空調環境の前記空調気流を前記内排流路で加温しないで前記空調環境へ返却し、前記空調装置が暖房処理を行う際に、前記内排流路に前記内部空調空間の前記空調気流を導引するように前記排気導引部を制御し、前記内循環加熱部を作動することによって、前記空調環境の前記空調気流を前記内排流路で加温して前記空調環境へ返却することを特徴とする空調装置を提供する。
【０００６】
本発明に係る一つの実施例において、前記吸気ファンが遠心送風機であり、前記吸気部が前記遠心送風機の回転軸の両側に二つの前記吸気口を有する。
【０００７】
本発明に係る一つの実施例において、前記排気導引部が三つの位置の間で切り替わるように配置され、前記三つの位置が、前記内部空調空間の前記空調気流を前記外排流路に導引する位置と、前記内部空調空間の前記空調気流を前記内排流路に導引する位置と、前記内部空調空間の前記空調気流を同時に前記外排流路と前記内排流路に導引する位置と、を含み、前記空調装置が乾燥処理を行う際に、同時に前記外排流路と前記内排流路に前記内部空調空間の前記空調気流を導引するように前記排気導引部を制御し、前記内循環加熱部を作動することによって、前記空調環境の前記空調気流の一部を加温して前記空調環境へ返却し、且つ前記空調気流の一部を前記空調環境の外部へ直接排出する。
【０００８】
本発明に係る一つの実施例において、前記流路変更部材が円心を中心として回転する回転円盤を有し、前記回転円盤が連通穴と遮蔽部とを有し、前記連通穴と前記遮蔽部がそれぞれ前記回転円盤の異なる回転角度の位置に配置され、前記回転円盤の回転によって前記連通穴と前記遮蔽部の位置を同時に変更し、前記内部空調空間と外排流路が前記連通穴によって連通し、或は前記遮蔽部によって閉鎖することで前記空調気流を前記外排流路に導引したり導引しないようにしたりする。
【０００９】
本発明に係る一つの実施例において、前記除湿加熱部が前記吸湿ホイールの一方に貼り付けられる除湿加熱器と、前記吸湿ホイールの他方に位置する排湿穴とを有し、前記除湿加熱器と前記排湿穴とが向かい合って位置することによって、前記除湿加熱器で加熱して蒸発された水蒸気を前記吸湿ホイールを経て前記排湿穴に流し、前記排湿穴が前記回転円盤に対応して前記回転円盤で前記空調空間の外部と連通したり連通しないようにしたりし、前記回転円盤の回転によって前記連通穴と前記遮蔽部の位置を同時に変更し、前記排湿穴が前記連通穴を通過して前記空調空間の外部と連通したり前記遮蔽部によって閉鎖したりする。
【００１０】
本発明に係る一つの実施例において、前記除湿加熱部が前記吸湿ホイールの一方に貼り付けられる除湿加熱器と前記吸湿ホイールの他方に位置する排湿穴とを有し、前記排湿穴が前記空調空間の外部と連通し、前記除湿加熱器と前記排湿穴とが向かい合って位置することによって、前記除湿加熱器で加熱して蒸発された水蒸気を前記吸湿ホイールと前記排湿穴とを通過して前記空調空間の外部へ排出する。
【００１１】
本発明に係る一つの実施例において、一端が前記外排流路の出口と前記排湿穴に連通し、他端が前記空調環境の外部に連通する導引排出ケースをさらに含む。
【００１２】
本発明に係る一つの実施例において、前記流路変更部材が円心を中心として回転する回転円盤を有し、前記回転円盤が連通穴と遮蔽部とを有し、前記連通穴と前記遮蔽部がそれぞれ前記回転円盤の異なる回転角度の位置に設置され、前記回転円盤の回転によって前記連通穴と前記遮蔽部の位置を同時に変更し、前記内部空調空間に外排流路が前記連通穴によって連通或は前記遮蔽部によって閉鎖することで前記空調気流を前記外排流路に導引したり導引しなかったりする。
【００１３】
本発明に係る一つの実施例において、前記排気導引部が前記回転円盤と同一の円心で配置される弧形状である制限溝を有し、前記回転円盤が弧形状制限溝に向かう表面に制限凸が配置され、前記回転円盤の回転角度の範囲を制限するように前記制限凸が前記制限溝に摺動する。
【００１４】
本発明に係る一つの実施例において、前記外排流路の出口が制限壁を有し、前記回転円盤が前記外排流路の出口に向かう表面に制限凸が配置され、前記制限凸が前記除湿処理において前記回転円盤の回転角度の範囲を制限するように前記制限壁と密着する。
【００１５】
本発明に係る一つの実施例において、前記排気導引部が制限壁を有し、前記外排流路の出口に隣接し、前記回転円盤が前記制限壁に向かう表面に制限凸が配置され、前記制限凸が前記回転円盤の回転角度の範囲を制限するように前記制限壁と密着する。
【発明の効果】
【００１６】
本発明に係る空調装置は以下の効果を有する。本発明に係る空調装置は除湿処理の際に除湿ホイールおよび除湿加熱部によって内排流路の空調気流の水分を除去するので、空調環境の湿度を直接下げて除湿処理の効率が上げられ、また、水分の蒸発と凝結を繰り返すことによる高エネルギー消耗する問題が避けられる。なお、本発明の除湿加熱部が除湿ホイールに吸着する水分を直接蒸発して排出するので、排水線路の配置や空調装置に集められる水を空ける必要がないので、使用の便利性が上げられる。また、本発明において、排気、除湿、内循環給気および暖房などの多様な空気調節処理機能を空調装置に集中し、排気導引部によって各空気調節処理機能の切り替えを制御し、本発明の空調装置をその結構が小さく、空間を占めることがなく、且つ設置しやすいものになる。
【図面の簡単な説明】
【００１７】
【図１】本発明による実施例の空調装置を示す立体概略図である。
【図２】本発明による実施例の空調装置の一部を示す爆発図である。
【図３】本発明による実施例の空調装置を示す爆発概略図である。
【図４】本発明による実施例の空調装置を示す断面 概略図である。
【図５】本発明による実施例の空調装置が外へ排気する処理を行う際を上から見る概略図である。
【図６】本発明による実施例の空調装置が除湿処理を行う際を上から見る概略図である。
【図７】本発明による実施例の空調装置が内循環送風処理を行う際を上から見る概略図である。
【図８】本発明による実施例の空調装置が乾燥処理を行う際を上から見る概略図である。
【発明を実施するための形態】
【００１８】
以下、本発明を実施するための形態について、図１〜図５に基いて説明する。この説明は本発明を限定するものではなく、本発明の一つの実施例に過ぎない。
【００１９】
図１〜図４に示すように、本発明に係る実施例の空調装置１００は空調装置１００の外部で空調環境（即ち、室内環境）が空気調節処理を実施し、前記空調装置１００の内部に内部空調空間Ｓを備える。前記空調装置１００は  吸気口１１と、前記吸気口１１を通じて前記空調環境から空調気流を前記内部空調空間Ｓに吸い込む吸気ファン１２と、を含む吸気部１と、流路切替部材２１と、前記空調環境の外部（即ち、外部環境）に連通する外排流路２２と、前記空調環境に連通する内排流路２３と、を含み、前記流路変更部材２１が前記内部空調空間Ｓと前記外排流路２２の間および前記内部空調空間Ｓと内排流路２３の間に配置され、前記流路変更部材２１が制御されて前記内排流路２３および／または前記外排流路２２に前記内部空調空間Ｓの前記空調気流を導引することによって前記空調空間および／または前記空調空間の外部へ前記空調気流を導引する排気導引部２と、前記内排流路２３に配置され、操作を開始する際に前記内部空調空間Ｓを通過して前記内排流路２３に導引される空調気流の水分を吸着する吸湿ホイール３と、前記吸湿ホイール３と熱的接続して操作を開始する際に前記吸湿ホイール３が吸着される水分を加熱して蒸発する除湿加熱部４と、前記内排流路２３に熱的接続して操作を開始する際に前記内排流路２３に導引される空調気流を加温する内循環加熱部５とを含み、前記空調装置１００が外へ排気する処理を行う際に、前記外排流路２２に前記内部空調空間Ｓの前記空調気流を導引するように前記排気導引部２を制御することによって、前記空調環境の前記空調気流を前記外排流路２２を通過して前記空調環境の外部に直接排出し、前記空調装置１００が除湿処理を行う際に、前記内排流路２３に前記内部空調空間Ｓの前記空調気流を導引するように前記排気導引部２を制御し、前記吸湿ホイールと前記除湿加熱部を作動することによって、前記空調環境の前記空調気流を前記内排流路２３で除湿した後に前記空調環境へ返却し、前記空調装置１００が内循環送風処理を行う際に、前記内排流路２３に前記内部空調空間Ｓの前記空調気流を導引するように前記排気導引部２を制御し、前記内循環加熱部を作動しないことによって、前記空調環境の前記空調気流を前記内排流路２３で加温しないで前記空調環境へ返却し、前記空調装置１００が暖房処理を行う際に、前記内排流路２３に前記内部空調空間Ｓの前記空調気流を導引するように前記排気導引部２を制御し、前記内循環加熱部５を作動することによって、前記空調環境の前記空調気流を前記内排流路２３で加温して前記空調環境へ返却する。
【００２０】
詳細を申せば、前記吸気ファン１２が遠心送風機であり、前記吸気部１が前記前記吸気ファン１２の回転軸Ａの両側に二つの前記吸気口１１を有する。
【００２１】
前記排気導引部２がケース２４を有し、前記内部空調空間Ｓが前記ケース２４の中に位置する。
【００２２】
前記流路変更部材２１が円心を中心として回転する回転円盤２１１と、前記ケース２４に設置される開口部２１２と、前記ケース２４に設置される嵌設穴２１３とを有する。前記回転円盤２１１がモーターＭ１に駆動されて回転方向Ｒ１に沿って回転し、前記回転円盤２１１が連通穴２１４と遮蔽部２１５とを有する。前記連通穴２１４と前記遮蔽部２１５がそれぞれ前記回転円盤２１１の異なる回転角度の位置に配置され、前記回転円盤２１１の回転によって前記連通穴２１４と前記遮蔽部２１５の位置を同時に変更し、前記内部空調空間Ｓと外排流路が前記連通穴２１４によって連通し（図５に示すように）、或は前記遮蔽部２１５によって閉鎖する（図６、７に示すように）ことで前記空調気流を前記外排流路２２に導引したり導引しないようにしたりする。前記開口部２１２が前記外排流路２２に設置される。前記嵌設穴２１３に前記吸湿ホイール３が嵌設される。
【００２３】
前記吸湿ホイール３がモーターＭ２に駆動されて作動され、回転方向Ｒ２に沿って回転し、前記内部空調空間Ｓの水分を吸着する。前記吸湿ホイールが複数の微細孔を有するので優れた吸湿効果を有する。例えば、前記吸湿ホイール１が沸石、シリカゲル（Ｓｉｌｉｃａ  Ｇｅｌ）、活性アルミニウム（Ａｃｔｉｖａｔｅｄ  Ａｌｕｍｉｎａ）、活性炭（Ａｃｔｉｖａｔｅｄ  Ｃａｒｂｏｎｓ）等の吸湿材料から製作されるものである。
【００２４】
前記除湿加熱部４が前記吸湿ホイール３の一方に貼り付けられる除湿加熱器４１と、前記吸湿ホイールの他方に位置する排湿穴４２とを有し、前記排湿穴４２が前記空調空間の外部と連通し、前記排湿穴４２と前記除湿加熱器４１とが向かい合って位置することによって、前記除湿加熱器４１で加熱して蒸発された水蒸気を前記吸湿ホイール３を経て前記排湿穴４２に流す。前記排湿穴４２が前記回転円盤２１１の前記連通穴２１４に対応して前記回転円盤の前記連通穴２１４で前記空調空間の外部と連通し、あるいは前記排湿穴４２が前記回転円盤２１１の遮蔽部２１５に対応して前記回転円盤の遮蔽部２１５で前記空調空間の外部と連通しないようにし、前記回転円盤２１１の回転によって前記連通穴２１４と前記遮蔽部２１５の位置を同時に変更し、前記排湿穴４２が前記連通穴２１４を通過して前記空調空間の外部と連通したり前記遮蔽部２１５によって閉鎖したりする。
【００２５】
選択的に、前記内循環加熱部５が正温度係数（Ｐｏｓｉｔｉｖｅ  Ｔｅｍｐｅｒａｔｕｒｅ  Ｃｏｅｆｆｉｃｉｅｎｔ、ＰＴＣ）の加熱器であり、省エネルギー、安全性等の特点を有する。もちろん、本発明はこれに限定されない。前記内循環加熱部５が他の加熱器であることもできる。
【００２６】
図３と図５に示すように、前記空調装置１００が外へ排気する処理を行う際に、前記排気導引部２が設置されて前記外排流路２２に前記内部空調空間Ｓの前記空調気流を導引する外排排気導引位置に位置する際に、前記回転円盤２１１が前記連通穴２１４が前記開口部２１２に対応して連通し、且つ、前記遮蔽部２１５が前記排湿穴４２に対応して閉鎖する位置に回転する際に、前記内部空調環境Ｓの前記空調気流が前記外排流路２２に沿って前記開口部２１２、前記連通穴２１４の順番に通過して前記空調環境の外部に直接排出することで外へ排気する処理を行う。
【００２７】
図３と図６に示すように、前記空調装置１００が除湿処理を行う際に、前記排気導引部２が前記内排流路２３に前記内部空調空間Ｓの前記空調気流を導引する内排排気導引位置に位置し、前記回転円盤２１１が前記内部空調空間Ｓが前記外排流路２２に連通しないように前記遮蔽部２１５が前記開口部２１２に対応する位置、且つ、前記連通穴２１４が前記排湿穴４２および前記空調空間の外部に対応して連通する位置に回転する際に、前記除湿加熱部４が作動して前記吸湿ホイール３に吸着された水分を加熱して水蒸気に蒸発し、前記吸湿ホイール３から水分を除去し、前記吸湿ホイール３の水分を除去した部分が前記内部空調空間Ｓの水分を吸着し続けることで、蒸発と凝結を繰り返すことによる高エネルギー消耗の問題を防ぐ。図３と図６に示すように、さらに、前記除湿加熱部４１で過熱されて蒸発した水蒸気が前記除湿ホイール３を通過して前記排湿穴４２に流れ、前記連通穴２１４を通過して前記空調環境の外部に排出される。本発明の空調装置１００は前記空調環境の外部に水蒸気が直接排出できるので、排水線路の配置や空調装置に集められる水を空ける必要がないので、使用の便利性が上げられる。
【００２８】
図１〜図４に示すように、前記空調装置１００は導引排出ケース６をさらに含むことが好ましい。前記導引排出ケース６の一端が前記外排流路２２の出口と前記排湿穴４２に連通し、前記導引排出ケース６の他端が前記空調環境の外部に連通し、前記空調環境の外部に前記外排流路２２を通過する空調気流および前記排湿穴４２を通過する水蒸気を一緒に送ることができる。
【００２９】
図３、図７に示すように、前記空調装置１００が内循環送風処理を行う際に、前記内循環加熱部５が作動しない。前記排気導引部２が前記内排排気導引位置に設置され、内部空調空間Ｓが前記外排流路２２および前記排湿穴４２に連通しないように、前記回転円盤２１１が前記遮蔽部２１５が前記開口部２１２および前記排湿穴４２に対応する位置に回転し、前記内部空調空間Ｓの空調気流が前記吸湿ホイール３および前記内循環加熱部５を完全に通過して前記空調環境へ返却される。また、前記空調装置１００が暖房処理を行う際に、前記回転円盤２１１の位置が前記内循環送風処理を行う際の位置と同様で、前記内循環加熱部が作動し、前記内部空調空間Ｓの空調気流が前記吸湿ホイール３および前記内循環加熱部５を完全に通過して前記内循環加熱部５で加温して前記空調環境へ返却する。
【００３０】
前記排気導引部２が弧形状制限溝２５と制限壁２６とを有することが好ましい。弧形状制限溝２５が前記回転円盤２１１と同一の円心で配置される。前記回転円盤２１１が前記弧形状制限溝２５と前記制限壁２６に向かう表面に制限凸２１６が配置され、前記制限凸２１６が前記制限溝２５に摺動できる。図７に示すように、前記回転円盤２１１が前記内部空調空間Ｓが前記外排流路２２および前記排湿穴４２に連通しない位置に回転する際に、前記回転円盤２１１の回転角度の範囲を制限するように前記制限凸２１６が前記制限溝２５の閉鎖した端と密着する。前記制限壁２６が前記開口部２１２に配置され、且つ前記外排流路２２の出口と隣接する。前記制限凸２１６が前記除湿処理において前記回転円盤２１１の回転角度の範囲を制限するように前記制限壁と密着する。
【００３１】
図３、図８に示すように、前記空調装置１００が乾燥処理を行う際に、前記排気導引部２が同時に前記外排流路２２と前記内排流路２３に前記内部空調空間Ｓの前記空調気流を導引する乾燥排気導引位置に位置し、同時に前記外排流路２２と前記内排流路２３に前記内部空調空間Ｓの前記空調気流を導引するように前記排気導引部２を制御し、前記内循環加熱部５を作動することによって、前記空調環境の前記空調気流の一部を加温して前記空調環境へ返却し、且つ前記空調気流の一部を前記空調環境の外部へ直接排出し、湿度をゆっくり下げる目的を達する。
【００３２】
上記の説明はただ本発明の好ましいとされる実施例の説明に過ぎない。この技術に対し、本発明の特許請求の範囲と上述の説明に基づいて、ほかの変更ができるが、これらの変更は本発明の創意であるべく、本発明の権利的範囲に包含される。
【符号の説明】
【００３３】
１００    空調装置
１    吸気部
１１    吸気口
１２    遠心送風機
２    排気導引部
２１    流路変更部材
２１１    回転円盤
２１２    開口部
２１３    嵌設穴
２１４    連通穴
２１５    遮蔽部
２１６    制限凸
２２    外排流路
２３    内排流路
２４    ケース
２５    弧形状制限溝
２６    制限壁
３    吸湿ホイール
４    除湿加熱部
４１    除湿加熱器
４２    排湿穴
５    内循環加熱部
６    導引排出ケース
Ａ    回転軸
Ｍ１、Ｍ２    モーター
Ｒ１、Ｒ２    回転方向
Ｓ    内部空調空間
【図１】
2018028426.tif 000003
【図２】
2018028426.tif 000004
【図３】
2018028426.tif 000005
【図４】
2018028426.tif 000006
【図５】
2018028426.tif 000007
【図６】
2018028426.tif 000008
【図７】
2018028426.tif 000009
【図８】
2018028426.tif 000010